(57)【要約】【課題】  本発明は、従来の課題を鑑みて発明されたものであり、厳かで澄んだ音色を奏でるとともに、鈴台からの鈴の離脱を防ぐことを目的とした、従来にない斬新な仏鈴を提供することにある。【解決手段】  椀状をなす鈴１と、該鈴１を載せる鈴台２とから構成し、前記鈴１は、鈴台２との接触箇所Ｕが球面状をなすと共に、該接触箇所Ｕ又は全体が磁性を有する素材で形成してあり、さらに鈴台２は、鈴１を吸引可能な箇所に磁石４を備えていることを特徴とする。【選択図】      図２
2005211437.tif 000002
【特許請求の範囲】
【請求項１】
椀状をなす鈴（１）と、該鈴（１）を載せる鈴台（２）とから構成し、
前記鈴（１）は、鈴台（２）との接触箇所（Ｕ）が球面状をなすと共に、該接触箇所（Ｕ）又は全体が磁性を有する素材で形成してあり、
さらに鈴台（２）は、鈴（１）を吸引可能な箇所に磁石（４）を備えていることを特徴とする仏鈴。
【請求項２】
椀状をなす鈴（１）と、該鈴（１）を載せる鈴台（２）とから構成し、
前記鈴（１）は、鈴台（２）との接触箇所（Ｕ）が球面状をなし、また鈴（１）の上部側には、磁性部材（３）を載置し、さらに鈴台（２）には、前記磁性部材（３）を吸引可能な箇所に磁石（４）を備えていることを特徴とする仏鈴。
【請求項３】
前記鈴（１）と鈴台（２）との間には、離隔具（６）を介在していることを特徴とする請求項１又は２記載の仏鈴。
【請求項４】
前記鈴（１）には、磁性部材（３）の位置決め手段（８）を備えていることを特徴とする請求項２又は３記載の仏鈴。
【請求項５】
前記鈴（１）は、音色調整手段（７）を備えていることを特徴とする請求項１、２、３又は４記載の仏鈴。
【発明の詳細な説明】
【技術分野】
【０００１】
本発明は、仏壇のお参りの際に鳴らす仏鈴に関するものである。
【背景技術】
【０００２】
仏鈴は図８のように、小さな座布団２２の上に載せられており、一般に仏壇の壇上等に置かれている。そして、鈴２１を鈴棒２３で叩くことで、チーンという高く澄んだ金属音が仏間に響き渡り、その場において、厳粛で厳かな雰囲気を醸し出すものであった。
【特許文献１】特開２００３−４２４号公報（１頁目、図１）
【発明の開示】
【発明が解決しようとする課題】
【０００３】
しかしながら、前述のように仏鈴を座布団の上に置いた場合には、該仏鈴の底部が座布団に沈み込んで広範囲に接触し、鈴棒で前記仏鈴を叩いた際、籠もったような濁りのある音色となる問題点があった。さらに、座布団の上に鈴を載せるような形態であるから、例えば、使用者が加減無く強く叩いた場合には、鈴が座布団から転げ落ちて、仏壇を破損する心配もあり、仮に鈴と鈴台とを一体的に固定し、該鈴の転落を防ぐような構造にした場合、今度は鈴の震えを規制する欠点があり、製造者側では、前述で挙げた様々な問題点を解消できる斬新な仏鈴の開発を日々進めている。
【０００４】
本発明は、上記課題を鑑みて発明されたものであり、厳かで澄んだ音色を奏でるとともに、鈴台からの鈴の転落を防ぐことを目的とした、従来にない斬新な仏鈴を提供することにある。
【課題を解決するための手段】
【０００５】
本発明のうち請求項１記載の発明は、椀状をなす鈴と、該鈴を載せる鈴台とから構成し、前記鈴は、鈴台との接触箇所が球面状をなすと共に、該接触箇所又は全体が磁性を有する素材で形成してあり、さらに鈴台は、鈴を吸引可能な箇所に磁石を備えていることを特徴とする。
【０００６】
本発明のうち請求項２記載の発明は、椀状をなす鈴と、該鈴を載せる鈴台とから構成し、前記鈴は、鈴台との接触箇所が球面状をなし、また鈴の上部側には、磁性部材を載置し、さらに鈴台には、前記磁性部材を吸引可能な箇所に磁石を備えていることを特徴とする。
【０００７】
鈴は椀状をなすものであるが、この椀状の概念としては、上端が開放した形態のものが全て含まれる。また磁性を有する素材とは、仏鈴として適した音色を奏でるものであるのは勿論、素材そのものが磁力を有するもの、又は磁力により吸引される性質であればよく、具体的には鉄等が挙げられる。さらに、鈴に対して磁性を有する素材を備える形態としては、例えば鈴全体を前記素材で形成したり、あるいは、鈴台との接触箇所に前記素材の粉末をコーティングする形態等が挙げられる。また磁性部材は、磁性を有するものであればよく、さらに、磁性部材そのものが磁石であってもよく、この場合には、鈴台側に備えた磁石と磁極を違わせるように調整する。また磁性部材は、鈴と鈴台との接触箇所と同様に音色に影響するものであるから、鈴との接触箇所を球面状に形成することが望ましい。また磁石を、鈴及び磁性部材を吸引可能な箇所に備えるとは具体的に、鈴台に備えた磁石の磁力が、前述の鈴や磁性部材に及ぶような箇所にあることを意味し、例えば、磁石が露出するように鈴台の上部に嵌め込んだり、あるいは、鈴台の内部に埋め込んでもよい。
【０００８】
このように形成すると、鈴と鈴台とが接触箇所において、球面との接触であることから小さな面積で接触し、さらに磁石の吸引によって、前記のように球面で接触したまま、鈴が鈴台の上で揺れ、そして初期位置への復帰の可能な状態で支持される。
【０００９】
本発明のうち請求項３記載の発明は、鈴と鈴台との間に、離隔具を介在しているので、鈴と鈴台とが直接接触しない状態を保ちながら、磁力によって互いが引き合うこととなる。
ここで離隔具は、台に鈴を支持できるものであればよく、具体的には、断面円形状の樹脂リング等が挙げられる。また離隔具は、鈴と鈴台とに接触するから、各々の接触面は球面状に形成することが望ましい。
【００１０】
本発明のうち請求項４記載の発明は、鈴には、磁性部材の位置決め手段を備えているので、この磁性部材が位置決め手段により鈴上部側の所定の箇所に留められることで、鈴台の上に載せた鈴が常に一定姿勢に保ち、使用時に安定した音色が奏でられる。
ここで位置決め手段とは、磁性部材を鈴の上部における所定の箇所に留めておけるものであればよく、具体的には、窪み、孔、切欠等が挙げられる。
【００１１】
本発明のうち請求項５記載の発明は、前記鈴は、音色調整手段を備えているので、前記音色調整手段を備えることによる鈴の変形に伴い、鈴棒で叩かれた際の鈴の奏でる音色の周波数が適宜変更され、これを利用することで、製造者又は使用者の意図するような音色を奏でられる。
【００１２】
音色調整手段は、鈴の一部を変形することにより、鈴棒で叩いた際の前記鈴の共鳴音の周波数が様々に変化することを利用したものであり、例えば鈴に貫通孔を設けたり、あるいは、該鈴の表面に窪みを設けたりしてもよい。
【発明の効果】
【００１３】
本発明のうち請求項１及び２記載の発明によれば、鈴と鈴台との接触部分を小さくすることで、前記鈴台からの鈴への干渉を抑え、例えば鈴を叩いた場合には、澄んだ音色を奏でて、先祖を敬う厳かな雰囲気を醸し出すことが可能となる。
【００１４】
また鈴台の揺れや、あるいは、鈴棒で叩いた際の鈴の揺れに対し、磁石の吸引によって鈴台からの鈴の転落を防ぐことができ、仏壇や仏具の破損の心配がない。
【００１５】
本発明のうち請求項３記載の発明によれば、請求項１及び２記載の発明の効果に加えて、離隔具の介在によって、鈴と鈴台とが直接接触せずに支持されるので、前記鈴台が鈴に干渉することなく、一層澄んだ音色を奏でることとなる。
【００１６】
本発明のうち請求項４記載の発明によれば、請求項２及び３記載の発明の効果に加えて、鈴と鈴台との接触箇所が定まり、これにより鈴台からの鈴の置かれるポジションも定まることで、本仏鈴の使用時においては常に安定した階調の音色を奏でられる。
【００１７】
本発明のうち請求項５記載の発明によれば、請求項１、２、３及び４記載の発明の効果に加えて、鈴が奏でる音色を、製造者又使用者の意図する音色に適宜調整でき、一層厳かな雰囲気を醸し出すことができる。
【発明を実施するための最良の形態】
【００１８】
本発明の仏鈴の具体的な構成について、各図面に基づいて以下に説明する。
図１と図２は本発明の仏鈴の第１実施形態を示し、まず鈴１は、全体が椀型をなすものであり、その全体を真鍮で鋳造するとともに、その表面にメッキ塗装を施している。次に鈴台２は、その上面側が扁平で且つ全体が円盤状をなしており、さらに前記鈴台２の上部には、永久磁石４を埋め込んであると共に、該永久磁石４の上面側が鈴台２の外に露出している。そして前記露出部分には窪み５を設けており、この窪み５には樹脂リング６を嵌合し、該樹脂リング６の上面側に前記鈴１を載せ、さらに鈴１の上に金属球３を載せている。これにより前記永久磁石４の磁力によって金属球３を鈴台２側に引きつけ、さらに該金属球３と樹脂リング６との間に、鈴１の底部中央部分Ｕを挟み込んだ状態で支持している。
【００１９】
上記のように形成した仏鈴は図３のように、樹脂リング６における丸みを帯びた上面側と鈴１の底部中央部分Ｕ、及び金属球３の丸みを帯びた底部側Ｇと鈴１の上面側とが、それぞれ球面で接触し、これにより、上から金属球３・鈴１・樹脂リング６・鈴台２と、各々の構成部材１，２，６、Ｇ同士の接触面積を可能な限り小さくしている。この結果、鈴棒で叩いた際の鈴１の震えを妨げるものが少なくなり、鈴１は籠もりのない澄んだ音色を奏でることになる。
【００２０】
そして、前述のように永久磁石４の磁力によって鈴台２から鈴１を支持することで、実際に鈴棒で鈴１を叩いた際には、この叩かれた衝撃で一旦は鈴１が左右に揺れるものの、該鈴１に永久磁石４の磁力が働いて常に初期位置に戻ろうとするので、鈴台２からの鈴１の転落を防ぐことができる。
【００２１】
次に、図４は本仏鈴の第２実施形態を示すものであり、この仏鈴は、鈴１を鉄で鋳造しており、さらに前記鈴１を鈴台２に備えた永久磁石４に直接吸い付ける構成をなしている。この場合でも、鈴１の底部側がその球面を介して永久磁石４に当接していることで、鈴台２からの振動や、あるいは、鈴棒からの衝撃に対して鈴１が滑らかに左右側に揺れ、また永久磁石４の磁力によって、揺れた後は初期位置に復帰することとなる。
【００２２】
さらに図５は、本仏鈴の第３実施形態を示すものであり、この仏鈴は、鈴１の任意の個所に貫通孔７を設けたものである。そして、この貫通孔７の数、該孔７の大きさによって、鈴１が奏でる音の周波数を調整し、音色を調整でき、この結果、製造者・使用者の好みの音色を奏でる鈴１を得ることが可能となる。
【００２３】
さらに図６及び図７は、本仏鈴の第４実施形態を示すものであり、この仏鈴は、鈴１の底部中央部分Ｇに窪み８を設けたものであり、この窪み８に金属球３が入り込むことで、該金属球３と鈴１との接触箇所が常に位置決めされ、この結果、安定した階調の音色を常時奏でられる。
尚、本実施形態では金属球３の位置決め手段として窪み８を設けているが、例えば窪み８の代わりに貫通孔や切欠等を設けても、前記金属球３を鈴１の所定箇所に位置決めできる。
【図面の簡単な説明】
【００２４】
【図１】本発明の仏鈴の第１実施形態を示す斜視図である。
【図２】図１のＡ−Ａ線縦断面図である。
【図３】図２中Ｂを拡大して示す縦断面図である。
【図４】本発明の仏鈴の第２実施形態を示す縦断面図である。
【図５】本発明の仏鈴の第３実施形態を示す斜視図である。
【図６】本発明の仏鈴の第４実施形態を示す縦断面図である。
【図７】図６中Ｃを拡大して示す縦断面図である。
【図８】従来の仏鈴を示す斜視図である。
【符号の説明】
【００２５】
１  鈴
２  鈴台
３  金属球（磁性部材）
４  永久磁石
６  樹脂リング（離隔具）
７  貫通孔（音色調整手段）
８  窪み（位置決め手段）
Ｇ、Ｕ  底部中央部分（接触箇所）
【図１】
2005211437.tif 000003
【図２】
2005211437.tif 000004
【図３】
2005211437.tif 000005
【図４】
2005211437.tif 000006
【図５】
2005211437.tif 000007
【図６】
2005211437.tif 000008
【図７】
2005211437.tif 000009
【図８】
2005211437.tif 000010